(57)【要約】【課題】重厚で伝統や宗派を取り入れた仏壇で、また既存の仏壇をも収納しうる仏壇ケースからなる家具であり、さらに仏壇の扉を開きやすくした家具調仏壇を提供する。【解決手段】仏壇４を収納しうる仏壇ケース１であって、該仏壇ケース１は扉２を閉めると家具調になり、一方、扉２を開ければ仏壇載置板５はスライド式で前記仏壇４が手前に引き出せ、仏壇４の扉６を左右に開きうるようにした家具調仏壇ケース１を構成する。【選択図】   図７
0003117807.tif 000002
【実用新案登録請求の範囲】
【請求項１】
仏壇を収納しうる仏壇ケースであって、該仏壇ケースは扉を閉めれば家具調になり、一方扉を開くとき仏壇載置板はスライド式で前記仏壇が手前に引き出せ、仏壇の扉を左右に開きうるようにしたことを特徴とする家具調仏壇ケース。
【請求項２】
前記仏壇ケースの前面上部に、家紋または宗紋を付設した請求項１記載の家具調仏壇ケース。
【請求項３】
前記仏壇ケースの扉が、中折れの観音開きである請求項１記載の家具調仏壇ケース。
【請求項４】
前記仏壇ケースの扉が、窓付き扉である請求項１記載の家具調仏壇ケース。
【請求項５】
前記仏壇ケースの扉の内側に、吊り下げ式の透明な薄地カ−テンを付設した請求項１記載の家具調仏壇ケース。
【考案の詳細な説明】
【技術分野】
【０００１】
本考案は家具調仏壇ケースに係り、更に詳しくは仏壇を収納してケースの扉を閉めれば、仏壇は隠れて家具となり、仏間ともなる家具調仏壇ケースに関する。
【背景技術】
【０００２】
最近は、消費者の価値観の変化により、仏壇に対する仕様形態や設置方法も多様化してきている。特に生活様式の変化に伴い、住空間も日常生活優先の洋式化が進んでいる。そのため、仏壇専用の仏間はなくなり、本格的な仏壇を設置する場所がなくなってしまっている。
【０００３】
然し、消費者は仏壇に対する感情や思い入れが変わってしまった訳ではない。（１）数年前に「現代仏壇」（新仏壇）が出現し、仏壇文化の変化が起き始めているが、現代風にアレンジした洋式のものが多く、伝統的な仏壇の備えがなく重厚で厳かな雰囲気に欠ける嫌いがあり、仏心からするとあまりにも変化しすぎている。
（２）伝統や宗派を取り入れた本格的な仏壇が欲しいという要望もある。
（３）また、現在先祖から受け継いだ仏壇があり、大事に継いで行きたいという希望もある。
【０００４】
即ち、我々の食生活や住空間に対する趣味嗜好が激変しているのに、生活の中で大きな位置を占める仏壇が変わってないのは、宗教の持つ伝統、儀式、拝礼等が大きく影響しているからであると思われる。
【０００５】
しかしながら、本格的な仏壇を置くとなると、マンションやアパート等の住宅事情の変化により、部屋とのバランスが合わず、そこに置かれている家具のデザインと調和させる必要もあって、最近は家具調仏壇が選ばれるようになってきている（例えば、特許文献１、特許文献２）。
【０００６】
【特許文献１】特開２０００−５０３９号公報
【特許文献２】特開２００１−１７８６１８号公報
【０００７】
特許文献１に記載されたものは、家具調収容ユニットだけでなく、仏壇ユニットも一体に組み込んだものである。また特許文献２には、洋式の椅子を収納しうるようにした現代仏壇が記載されている。
【０００８】
一方、本格的仏壇を家具調仏壇ケース（以下「本ケース」という）の中に収納した状態で仏壇の扉を開くと、扉が横へ大きく左右に広がるため、本ケースの横幅を大きくしなければいけなくなる。それでは家具として横幅が大きすぎたり、仏壇を収納したとき仏壇と本ケースとの間に、空間ができてしまうことになる。だからといって、仏壇と本ケースの幅を合わすと、仏壇を収納し礼拝する時に仏壇の扉を開けると、本ケースの両壁に当たり仏壇の扉が開かない状態となる。そのためには、仏壇置きの下台を手前に引き出すようにすればよいが、手前にスライドさせる仏壇は、従来から種々開示されている（例えば、特許文献３、特許文献４、実用新案文献１、実用新案文献２）。しかし、何れも仏壇本体内部の棚をスライド式にしたものである。
【０００９】
【特許文献３】特開２００１−３４６６７１号公報
【特許文献４】特開２００５−５８４１６号公報
【特許文献５】実開平６−５２６６７号公報
【特許文献６】実開平７−９１９２号公報
【００１０】
また仏壇に、消費者の好みの選択で、「家紋」か「宗紋」のネーミングを入れて、その家庭特有のものとすることも好ましい。この点貴金属の延べ板を取り付けた先行技術も開示されている（例えば、実用新案文献３）。しかし実用新案文献３には、家紋や宗紋には記載されていない。
【００１１】
【特許文献７】実開平５−２０６７９号公報
【００１２】
さらに本ケースの扉は、お参りした後で、すぐに閉めてしまうのも仏様に対して気が引けて味気なく幽玄さもなくなる。一方、開けっぱなしにしておくと、塵芥が入りやすく、仏様の存在感が強すぎる。そのため、扉を透明な薄地のスクリ−ンにする先行技術も提案されている（例えば、実用新案文献４，実用新案文献５）。しかし、実用新案文献４と実用新案文献５に記載されたものは、巻き上げ式のロ−ルスクリーンで、吊り下げ式の横開きカーテンではなかった。
【００１３】
【特許文献８】実登第３０６１５３２号公報
【特許文献９】実登第３０９９７８１号公報
【考案の開示】
【考案が解決しようとする課題】
【００１４】
上記の事情に鑑み本考案は、重厚で伝統や宗派を取り入れた仏壇で、また既存の仏壇をも収納しうる仏壇ケースからなる家具であり、さらに仏壇の扉を開きやすくした家具調仏壇を提供することを課題とするものである。
【課題を解決するための手段】
【００１５】
本考案は上記課題を達成するために、仏壇を収納しうる仏壇ケースであって、該仏壇ケースは扉を閉めれば家具調になり、一方扉を開けば仏壇載置板はスライド式で前記仏壇が手前に引き出せ、仏壇の扉を左右に開きうるようにした家具調仏壇ケースを構成するものである。
【考案の効果】
【００１６】
本考案の家具調仏壇ケースは、仏壇置きの仏壇載置板を本ケースから２０ｃｍ程度まで手前に引き出せるようにスライド式にしている。そのため、収納されている仏壇の扉は左右へ自在に開閉することができる。
【００１７】
本考案の家具調仏壇ケースは、大、中、小の３規格からなっている。それは、本格仏壇の規格は様々あるが、特大仏壇を除けば３規格に集約でき、消費者の使用する仏壇の規格に適合した本ケースを選択できるようにしている。そのため、量産が可能となり、コストの低減化をはかっている。
【００１８】
本考案の家具調仏壇ケースは、仏壇とのセット販売ではなく、本ケースのみの単独販売にしている。これにより消費者は、現在使用している仏壇を収納したり、別途販売されている仏壇に本ケースのみを購入することもでき、家具調仏壇となって設置場所の範囲が広くなり、従来の仏壇の置場の悩みも解消できる。
【００１９】
本考案の家具調仏壇ケースは、扉を中折れの観音開きにすることもできる。そうすれば、折り畳めば本ケース内に収納でき、外側へ開くこともできる。これにより、仏壇と本ケースとの空間をなくすことができ一体感がでる。また、本ケースを窓際に設置したとき、本ケースの扉を開けても折り畳めば障害にならなくなる。
【００２０】
本考案の家具調仏壇ケースは、扉の内側に両開きの吊り下げ式薄地カーテンを取り付けるのもよい。こうすれば、本ケースと仏壇が融和し、一層幽玄さを増すこととなる。礼拝の時、カーテンを開けることにより、両側でカーテン生地の重なりができ、本ケースと仏壇の横の隙間が隠れることとなり、また礼拝後にカーテンを閉めた状態は、カーテンの薄地で収納されている仏壇が透けて浮かんでみえる。そしてカーテンのデザインにより、一層の壮厳さと幽玄さがでる。同時に、カーテンを閉めることにより、塵屑の入るのを防止することもできる。
【００２１】
本考案の家具調仏壇ケースは、本ケースの前面上部に、消費者の好みの選択で、「家紋」か「宗紋」を取り付けるようにしてもよい。サイズに合わせた規格の家紋や宗紋プレ−トを製作し用意しておくことにより、安価で容易に取り付けることができる。このことにより、消費者の仏壇のオリジナリティと、その家系のシンボルが何時も目にとまることとなり、家紋や宗紋を通して家族の絆が一層強いものとなる。
【００２２】
本考案の家具調仏壇は、仏壇を収納する仏壇ケースからなる家具であり、新しい形態の仏間ともなりうるもので、仏壇は従来通り重厚で伝統や宗派を取り入れた伝統的なものとすることができ、部屋の雰囲気との違和感がない。本ケース、部屋の雰囲気とマッチさすために、キッチンやリビング用等に分け、またインデリアとして消費者の好みにより、和調、カントリー調、ヨーロピアン調等に合わせ、本ケースの製作を使用部材や扉部分、前面上部の装飾部、下部の引出部等のデザインや色の変化で、その表情を出させることができる。
【考案を実施するための最良の形態】
【００２３】
以下、本考案の実施形態を図に基づいて詳しく説明する。
【実施例１】
【００２４】
図１，２，３，４，５，６は、請求項１，２，３，４の考案に関するものである。図１は、本考案の家具調仏壇ケースの扉を開いて、スライド式の仏壇載置板を手前に引き出した状態を示す正面図である。図２は、本考案の家具調仏壇ケースの扉を閉めた状態を示す正面図である。図３は、本考案の家具調仏壇ケースの中に収納する一般的な仏壇の扉を閉じた状態を示す正面図である。図４は、本考案の家具調仏壇ケースの中に収納する一般的な仏壇の扉を開けた状態を示す正面図である。図５は、本考案の家具調仏壇ケースの中に仏壇を収納し、本ケースの扉を開いた状態を示す正面図である。図６は、本考案の家具調仏壇ケースの中に仏壇を収納し、本ケースの扉を開き下台を引き出し、仏壇の扉を開いた状態を示す正面図である。
【００２５】
仏壇を収納する本考案の仏壇ケースである本ケース１は、扉を閉めれば、中の仏壇は隠れて、扉２の外観からなる家具調となる。また仏壇ケースの扉２には窓３を設けて中が見えるようにしている。従って、住宅内の洋間やキッチンやリビングル−ム等に置いても、家具として室内装飾や調度品等の外観に適合し、違和感のないものとなっている。
【００２６】
扉２を開ければ、空洞になっており、この中に従来の荘厳な仏壇４を収納することになる。本実施例の仏壇４は一般的な仏壇を示し、本ケース１より、やや小さめのサイズのものを収納する。本ケース１は、大（Ｌ），中（Ｍ），小（Ｓ）からなる各サイズのものが用意されている。仏壇４は、このサイズに適合するものであれば、新たなセット販売品又は在宅の中古品を利用することもできる。
【００２７】
本ケース１内には、仏壇載置板５が付設されている。仏壇載置板５は、スライド式で、この上に乗せる仏壇４を手前に引き出せるようにしている。本ケース１の奥行が６０糎程度の場合は、２０糎程度、手前に引き出せるようにしている。
【００２８】
本実施例の一般的な仏壇４にも、扉６があり、左右に観音開きになっている。従って、扉６は開いた場合、仏壇４の横幅より、左右に食み出すことになる。この食み出しに対して、扉６が本ケース１に当たらないよう、スライド式仏壇載置板５で、手前に引き出すようにしている。
【００２９】
本ケース１の前面上部には、入れ替え可能な家紋または宗紋７を付設しうるプレートを取り付けている。店頭にて、家紋や宗紋を消費者にお聞きして入れ、その家庭特有の仏壇ケースとなるようにしている。
【００３０】
なお、扉２は中折れの観音開き式になっている。そして、配線コードの出入口の孔８を設けている。
【実施例２】
【００３１】
図７，８は、請求項５の考案に関するものである。図７は、本考案のカーテン付き家具調仏壇ケースの中に仏壇を収納し、本ケースの扉を開き下台を引き出し、仏壇の扉を開いた状態を示す正面図である。図８は、本考案のカーテン付き家具調仏壇ケースの中に仏壇を収納し、本ケースの扉を開き、カーテンを半分綴じた状態を示す正面図である。
【００３２】
本考案の仏壇ケースには、扉の内側に透明な薄地のカーテン９を吊り下げている。これを、巻き上げ式のロ−ルカーテンにすれば、樹脂で固めた布地にしなければならないが、吊り下げ式のカーテンであるから、薄くて安価な紗のカーテン生地でも間に合うことになる。透明な薄地のカーテンは、塵芥を防ぎ、仏壇の幽玄な感じを醸し出すことができる。
【産業上の利用可能性】
【００３３】
本考案の家具調仏壇ケースは、仏壇は手持ちのものや好みのものを選択でき、従来通り重厚で厳かな雰囲気を醸し出すことができるし、和式や洋式の住環境に適合し、家具として現代風にアレンジされているので、お年寄からマンションやアパートに住む若い人に至るまで、広範囲に利用しうるものである。
【図面の簡単な説明】
【００３４】
【図１】本考案の家具調仏壇ケースの扉を開いて、スライド式の仏壇載置板を手前に引き出した状態を示す正面図である。
【図２】本考案の家具調仏壇ケースの扉を閉めた状態を示す正面図である。
【図３】本考案の家具調仏壇ケースの中に収納する一般的な仏壇の扉を閉じた状態を示す正面図である。
【図４】本考案の家具調仏壇ケースの中に収納する一般的な仏壇の扉を開けた状態を示す正面図である。
【図５】本考案の家具調仏壇ケースの中に仏壇を収納し、本ケースの扉を開いた状態を示す正面図である。
【図６】本考案の家具調仏壇ケースの中に仏壇を収納し、本ケースの扉を開き仏壇載置板を引き出し、仏壇の扉を開いた状態を示す正面図である。
【図７】本考案のカーテン付き家具調仏壇ケースの中にカーテンを開いて仏壇を収納し、本ケースの扉を開き仏壇載置板を引き出し、仏壇の扉を開いた状態を示す正面図である。
【図８】本考案のカーテン付き家具調仏壇ケースの中に仏壇を収納し、本ケースの扉を開き、カーテンを半分綴じた状態を示す正面図である。
【符号の説明】
【００３５】
１      家具調仏壇ケース
２      家具調仏壇ケースの扉
３      家具調仏壇ケースの扉の窓
４      一般的な仏壇
５      仏壇ケースの仏壇載置板
６      一般的な仏壇の扉
７      家紋または宗紋のプレ−ト
８      配線コ−ドの出入口の孔
９      カーテン
【図１】
0003117807.tif 000003
【図２】
0003117807.tif 000004
【図３】
0003117807.tif 000005
【図４】
0003117807.tif 000006
【図５】
0003117807.tif 000007
【図６】
0003117807.tif 000008
【図７】
0003117807.tif 000009
【図８】
0003117807.tif 000010